(57)【要約】【課題】磁気記録ディスクにおける磁気バイアスの誘導を提供する。【解決手段】磁気記録ディスクに磁気バイアスを誘導する方法。バイアス装置は、対向する上側凹部および下側凹部を含んだ形状を有する軟磁性材料部材を含んでいる。第１の磁石は上側凹部内に配置され、第２の磁石は下側凹部内に配置されている。第１の磁石と第２の磁石との間にエアギャップが存在する。第１の磁石と第２の磁石との間で磁気記録ディスクの少なくとも一部を収容するために軟磁性材料部材の開口の大きさが設定されている。第１の磁石および第２の磁石の両方により生じる磁場が、（ａ）同一の方向であって、（ｂ）磁気記録ディスクの平面と垂直な方向に流れる。本方法を用いれば、ビットパターン媒体の磁気島のようなディスク上の磁気材料を消去して同一方向に分極化することができる。【選択図】図４Ａ
2012099207.tif 000002
【特許請求の範囲】
【請求項１】
磁気記録ディスクに磁気バイアスを誘導する装置であって、
対向する上側凹部および下側凹部を含んだ形状の軟磁性材料部材と、
前記上側凹部内の第１の磁石と、
前記下側凹部内の第２の磁石と、
を含み、
前記第１の磁石と前記第２の磁石との間にエアギャップが存在し、
前記第１の磁石と前記第２の磁石との間で前記磁気記録ディスクの少なくとも一部を収容するために前記軟磁性材料部材の開口の大きさが設定されていて、
前記第１の磁石および前記第２の磁石の両方により生じる磁場が、（ａ）同一の方向であって、（ｂ）前記磁気記録ディスクの平面と垂直な方向に流れる装置。
【請求項２】
前記磁気記録ディスクがビットパターン媒体（ＢＰＭ）である、請求項１に記載の装置。
【請求項３】
前記磁場の方向が、前記第１の磁石から前記第２の磁石に向かう方向である、請求項１に記載の装置。
【請求項４】
前記磁場の方向が、前記第２の磁石から前記第１の磁石に向かう方向である、請求項１に記載の装置。
【請求項５】
前記軟磁性材料部材が、前記第１の磁石の三側面および前記第２の磁石の三側面を囲む、請求項１に記載の装置。
【請求項６】
前記軟磁性材料部材がステンレス鋼である、請求項１に記載の装置。
【請求項７】
前記軟磁性材料部材の開口のサイズが３０ｍｍ以下である、請求項１に記載の装置。
【請求項８】
前記磁気記録ディスクを含むハードディスク装置のモーターにおいて前記第１の磁石および前記第２の磁石により生じる磁場の強さが１５００エルステッド（Ｏｅ）以下である、請求項１に記載の装置。
【請求項９】
前記磁気記録ディスクにおいて前記第１の磁石および前記第２の磁石により生じる磁場の強さが少なくとも６０００エルステッド（Ｏｅ）である、請求項１に記載の装置。
【請求項１０】
前記磁気記録ディスクがビットパターン媒体（ＢＰＭ）であって、前記磁気記録ディスク上に配置されたほぼ全ての磁気島が同一方向に分極化されている、請求項１に記載の装置。
【請求項１１】
磁気記録ディスクに磁気バイアスを誘導する方法であって、
前記磁気記録ディスクを装置の開口に挿入するステップと、
所定の時間が経過した後で前記装置の開口から前記磁気記録ディスクを取り外すステップと、
を含み、
前記装置が、
対向する上側凹部および下側凹部を含んだ形状の軟磁性材料部材と、
前記上側凹部内の第１の磁石と、
前記下側凹部内の第２の磁石と、
を含み、
前記第１の磁石と前記第２の磁石との間にエアギャップが存在し、
前記第１の磁石と前記第２の磁石との間で前記磁気記録ディスクの少なくとも一部を収容するために前記軟磁性材料部材の開口の大きさが設定されていて、
前記第１の磁石および前記第２の磁石の両方により生じる磁場が、（ａ）同一の方向であって、（ｂ）前記磁気記録ディスクの平面と垂直な方向に流れる方法。
【請求項１２】
前記磁気記録ディスクがビットパターン媒体（ＢＰＭ）である、請求項１１に記載の方法。
【請求項１３】
前記磁場の方向が、前記第１の磁石から前記第２の磁石に向かう方向である、請求項１１に記載の方法。
【請求項１４】
前記磁場の方向が、前記第２の磁石から前記第１の磁石に向かう方向である、請求項１１に記載の方法。
【請求項１５】
前記軟磁性材料部材が前記第１の磁石の三側面および前記第２の磁石の三側面を囲む、請求項１１に記載の方法。
【請求項１６】
前記軟磁性材料部材がステンレス鋼である、請求項１１に記載の方法。
【請求項１７】
前記軟磁性材料部材の開口のサイズが３０ｍｍ以下である、請求項１１に記載の方法。
【請求項１８】
前記磁気記録ディスクを含むハードディスク装置のモーターにおいて前記第１の磁石および前記第２の磁石により生じる磁場の強さが１５００エルステッド（Ｏｅ）以下である、請求項１１に記載の方法。
【請求項１９】
前記磁気記録ディスクにおいて前記第１の磁石および前記第２の磁石により生じる磁場の強さが少なくとも６０００エルステッド（Ｏｅ）である、請求項１１に記載の方法。
【請求項２０】
前記磁気記録ディスクがビットパターン媒体（ＢＰＭ）であって、前記磁気記録ディスク上に配置されたほぼ全ての磁気島が同一方向に分極化されている、請求項１１に記載の方法。
【発明の詳細な説明】
【技術分野】
【０００１】
本発明の実施形態は一般に、ハードディスク装置（ＨＤＤ）内の磁気記録ディスク上でのバルク消去動作の性能に関し、より具体的にはハードディスク装置（ＨＤＤ）内の磁気記録ディスクに保存された磁気材料の極性に磁気バイアスを誘導する方式に関する。
【背景技術】
【０００２】
ハードディスク装置（ＨＤＤ）は、保護容器に収納された不揮発性記憶装置であって、デジタル的に符号化されたデータを、磁気表面を有する１個以上の円形ディスクに保存する（ディスクはプラッタとも呼ばれる）。ＨＤＤが動作中の場合、各磁気記録ディスクはスピンドルシステムにより高速回転する。データは、アクチュエータによりディスクの特定の位置に置かれた読み書きヘッドを用いて、磁気記録ディスクに読み出し及び書き込みがなされる。
【０００３】
読み出し／書きこみヘッドは、磁場を利用して磁気記録ディスクの表面からデータを読み込み、データを書き込む。磁極からの距離に応じて磁気双極子場が急激に減少するため、読み出し／書きこみヘッドと磁気記録ディスク表面との間の距離を厳密に制御しなければならない。アクチュエータは、磁気記録ディスクが回転する間、読み出し／書きこみヘッドと磁気記録ディスク表面との間で適切な距離を提供するため、読み出し／書きこみヘッドにかかるサスペンションの力を利用する。読み出し／書きこみヘッドは従って、磁気記録ディスク表面の上を「飛行する」と言われる。磁気記録ディスクが回転を止めた場合、読み出し／書きこみヘッドは「着地」するか、またはディスク表面から機械式着地ランプ上へ引き離されなければならない。
【０００４】
ＨＤＤに保存されている全てのデータを消去することが望ましい場合がある。ＨＤＤに保存されている全てのデータを消去する一方法は、バルク消去装置を使用するものである。図１は、公知技術によるバルク消去装置２を示す図である。図１に示すように、バルク消去装置２は、各々磁気回路１０、１２を生成する磁石６、８を含んでいる。磁気回路１０は時計回り（または反時計回り）に流れ、一方磁気回路１２は反時計回り（または時計回り）に流れる。ＨＤＤバルク消去動作中、ＨＤＤ４の磁気記録ディスクが通常の動作速度または他の任意の特定の回動速度で回転する間、ＨＤＤ４は位置１４へ移動する。磁気回路１０、１２は、ＨＤＤ４内の磁気記録ディスクと主に平行に流れるように設計されている。ＨＤＤ４を貫通する磁場の方向を図１に示す。重要なことは、ＨＤＤ４を位置１４に合わせることにより、磁場の方向が、磁気記録ディスク上の磁気情報を貫通しながら、ＨＤＤ４内のモーターが磁場に大きく影響されないよう設計されている点である。ＨＤＤ４の磁気記録ディスクを貫通して平行に流れる磁場は、ＨＤＤ４がバルク消去装置２から引き戻された後で、ＨＤＤ４内の磁気記録ディスクに保存されている磁気情報の極性にランダムな値を保持させることにより、ＨＤＤ４の磁気記録ディスクに保存されているデータを消去する。
【発明の概要】
【発明が解決しようとする課題】
【０００５】
図１に示すバルク消去装置２に関する課題は、ＨＤＤ４のモーターを損傷することなく磁気ディスク上の全てのデータを常に消去することが困難であることである、とわかっている。従って、バルク消去動作を実行する改良された方法が望まれる。
【課題を解決するための手段】
【０００６】
本発明の実施形態は、バルク消去動作を実行する改良された方法を提供する。実施形態は、磁気記録ディスクに磁気バイアスを誘導することによりバルク消去動作を実行することができる。この特徴は特に、実施形態が磁気ディスク上の全てのデータを消去し、且つ同一動作でＢＰＭディスク上の全ての磁気島の正または負の極性を誘導する場合があるビットパターン媒体（ＢＰＭ）を採用する実施形態に有利である。また、本発明の実施形態は、ハードディスク装置（ＨＤＤ）のモーターを遮蔽することにより、モーターへの損傷を防止する点が有利である。
【０００７】
一実施形態によれば、軟磁性材料部材は、対向する上側凹部および下側凹部を含んだ形状を有する。第１の磁石が上側凹部内に配置され、第２の磁石が下側凹部内に配置されている。第１の磁石と第２の磁石との間にエアギャップが存在する。第１の磁石と第２の磁石との間でハードディスク装置の少なくとも一部を収容するために軟磁性材料部材の開口の大きさが設定されている。第１の磁石および第２の磁石の両方により生じる磁場が、（ａ）同一の方向であって、（ｂ）磁気記録ディスクの平面と垂直な方向に流れる。
【０００８】
本発明の発明の概要の段落で述べた実施形態は、本明細書に記載の全ての実施形態を提案、記述、または教示するものではない。従って、本発明の実施形態は、本段落に記載のものに追加的な、またはこれらとは異なる特徴を含んでいてもよい。
【０００９】
本発明の実施形態を添付図面内の各図に例示しているが、これらは本発明を限定するものではなく、図面内の同一参照番号は同一要素を示す。
【図面の簡単な説明】
【００１０】
【図１】先行技術による、ハードディスク装置に保存されているデータを消去する装置の概略図である。
【図２】本発明の一実施形態によるＨＤＤの平面図である。
【図３】本発明の一実施形態によるヘッドアームアセンブリ（ＨＡＡ）の平面図である。
【図４Ａ】本発明の実施形態による磁気バイアス装置の概略図である。
【図４Ｂ】本発明の実施形態による磁気バイアス装置の側面図である。
【図４Ｃ】本発明の実施形態による、非磁性材料を含む磁気バイアス装置の概略図である。
【図５】本発明の実施形態による、磁気バイアス装置により生じる磁場の概略図である。
【図６】本発明の一実施形態による磁気バイアス装置を用いてハードディスク装置（ＨＤＤ）のデータを消去する機能ステップを例示するフロー図である。
【発明を実施するための形態】
【００１１】
磁気記録ディスクに磁気バイアスを誘導することにより磁気記録ディスクを消去する方法について記述する。以下の記述において、説明目的で、本明細書に記述した本発明の実施形態を完全に理解いただけるよう多くの具体的な詳細事項を開示している。しかし、これらの具体的詳細事項無しでも本明細書に記述する本発明の実施形態が実施可能であることは明らかであろう。他の例において、本明細書に記述する本発明の実施形態を無用に分かり難くすることを避けるために公知の構造および装置をブロック図形式で示す。
【００１２】
本発明の例示的実施形態の物理的記述
実施形態を用いて、各磁気記録ディスクに磁気バイアスを誘導することによりハードディスク装置（ＨＤＤ）内に含まれる１個以上の磁気記録ディスクを消去することができる。磁気バイアス装置の動作について詳細に述べる前に、実施形態により消去可能なハードディスク装置の記述を提供する。
【００１３】
本発明の実施形態によるＨＤＤ１００の平面図を図２に示す。図２は、磁気記録ヘッド１１０ａを含むスライダ１１０ｂを含むＨＤＤの構成要素の機能構成を示す。ＨＤＤ１００は、ヘッド１１０ａを含む少なくとも１個のヘッドジンバルアセンブリ（ＨＧＡ）１１０と、ヘッド１１０ａに取り付けられるリードサスペンション１１０ｃと、スライダ１１０ｂに取り付けられ、スライダ１１０ｂの遠位端でヘッド１１０ａを含むロードビーム１１０ｄと、を含んでいる。スライダ１１０ｂは、ロードビーム１１０ｄの遠位端でロードビーム１１０ｄのジンバル部分に取り付けられている。ＨＤＤ１００はまた、スピンドル１２４に回転可能に搭載された少なくとも１個の磁気記録ディスク１２０と、ディスク１２０を回転させるべくスピンドル１２４に取り付けられた駆動モーター（図示せず）と、を含んでいる。ヘッド１１０ａは、各々ＨＤＤ１００のディスク１２０に保存されている情報の書き込みおよび読み出しを行なう書き込み要素および読み出し要素を含んでいる。ディスク１２０または複数のディスク（図示せず）は、ディスククランプ１２８によりスピンドル１２４に固定されていてもよい。ＨＤＤ１００は更に、ＨＧＡ１１０、キャリッジ１３４、キャリッジ１３４に取り付けられたボイスコイル１４０を含む電機子１３６を含むボイスコイルモーター（ＶＣＭ）、に取り付けられたアーム１３２と、ボイスコイル磁石（図示せず）を含む固定子１４４と、を含んでいる。ＶＣＭの電機子１３６は、キャリッジ１３４に取り付けられていて、挿入ピボットベアリングアセンブリ１５２によりピボット軸１４８に搭載されたディスク１２０の部分へアクセスするため、アーム１３２およびＨＧＡ１１０を移動させるように構成されている。
【００１４】
図２を更に参照するに、本発明の実施形態によれば、電気信号、例えばＶＣＭのボイスコイル１４０への電流、ＰＭＲヘッド１１０ａへの書き込み信号またはＰＭＲヘッド１１０ａからの読み出し信号が、可撓ケーブル１５６により与えられる。可撓ケーブル１５６とヘッド１１０ａとの相互接続は、読み出し信号用のオンボードプリアンプを、他の読み出しチャネルおよび書き込みチャネル電子部品と同様に有するアーム電子機器（ＡＥ）モジュール１６０により提供することができる。可撓ケーブル１５６は、電気コネクタブロック１６４に接続されていて、ＨＤＤ筐体１６８が提供する電気フィードスルー（図示せず）を介して電気的導通を提供する。ＨＤＤ筐体１６８（キャスティングとも呼ばれる（鋳造品であるか否かに依るが））は、ＨＤＤカバー（図示せず）と結合して、ＨＤＤ１００の情報記憶要素のための密封された保護容器を提供する。
【００１５】
図２を更に参照するに、本発明の実施形態による、ディスクコントローラおよびデジタル信号プロセッサ（ＤＳＰ）を含むサーボ電子機器を含む他の電子部品（図示せず）は、駆動モーター、ＶＣＭのボイスコイル１４０、およびＨＧＡ１１０のヘッド１１０ａに電気信号を与える。駆動モーターに与えられた電気信号は駆動モーターを回転可能にして、スピンドル１２４にトルクを与え、当該トルクは次いでディスククランプ１２８によりスピンドル１２４に固定されたディスク１２０に伝達され、その結果、ディスク１２０は方向１７２に回転する。回転中のディスク１２０は、スライダ１１０ｂの空気ベアリング面（ＡＢＳ）が乗るエアベアリングとして作用する空気のクッションを生成することにより、スライダ１１０ｂが、情報が記録されたディスク１２０の薄い磁気記録媒体と接触することなくディスク１２０の表面上を飛行する。ＶＣＭのボイスコイル１４０に与えられた電気信号により、情報が記録されたトラック１７６にＨＧＡ１１０のヘッド１１０ａがアクセスできるようになる。従って、ＶＣＭの電機子１３６が弧１８０に沿って揺動することにより、アーム１３２により電機子１３６に取り付けられたＨＧＡ１１０がディスク１２０上の各種トラックにアクセスできるようになる。情報は、ディスク１２０において、ディスク１２０上のセクターに配置された複数の同心トラック（図示せず）、例えばセクター１８４に保存される。これに対応して、各トラックは、複数のセクター化されたトラック部、例えばセクター化されたトラック部１８８からなる。各々のセクター化されたトラック部１８８は、記録されたデータ、およびサーボバースト信号パターン、例えばＡＢＣＤサーボバースト信号パターン、トラック１７６を識別する情報、およびエラー訂正符号情報を含むヘッダからなる。トラック１７６をアクセスする際に、ＨＧＡ１１０のヘッド１１０ａの読み出し要素は、ＶＣＭのボイスコイル１４０に与えられる電気信号を制御してヘッド１１０ａがトラック１７６を追跡できるようにするサーボ電子機器に位置エラー信号（ＰＥＳ）を与えるサーボバースト信号パターンを読み出す。ヘッド１１０ａは、トラック１７６を見つけて、特定のセクター化されたトラック部１８８を識別したならば、ディスクコントローラが外部エージェント、例えばコンピュータシステムのマイクロプロセッサから受信した指示に応じて、トラック１７６からデータを読み出すかまたはトラック１７６にデータを書き込む。
【００１６】
本発明の実施形態はまた、ＨＧＡ１１０と、スピンドル１２４に回転可能に搭載されたディスク１２０と、ヘッド１１０ａを含むスライダ１１０ｂを含むＨＧＡ１１０に取り付けられたアーム１３２と、を含むＨＤＤ１００も含んでいる。
【００１７】
ここで図３を参照するに、本発明の実施形態による、ＨＧＡ１１０を含むヘッドアームアセンブリ（ＨＡＡ）の平面図を示す。図３は、ＨＧＡ１１０に関するＨＡＡの機能構成を示す。ＨＡＡは、ヘッド１１０ａを含むスライダ１１０ｂを含むアーム１３２と、ＨＧＡ１１０と、を含んでいる。ＨＡＡは、アーム１３２においてキャリッジ１３４に取り付けられている。ＨＤＤが複数のディスクまたはプラッタ（当分野で時折ディスクを指す）を有している場合、キャリッジ１３４は「Ｅブロック」または櫛（キャリッジがアームの連動アレイを担持するように構成されていて、外観が櫛に似ているため）と呼ばれる。図４に示すように、ＶＣＭの電機子１３６はキャリッジ１３４に取り付けられていて、ボイスコイル１４０は電機子１３６に取り付けられている。ＡＥ１６０は、図に示すようにキャリッジ１３４に取り付けられていてもよい。キャリッジ１３４は、挿入されたピボットベアリングアセンブリ１５２によりピボット軸１４８に搭載されている。
【００１８】
［磁気極性の誘導によるデータ消去］
図４Ａは、本発明の実施形態による磁気バイアス装置４００の概略図である。磁気バイアス装置４００を用いて、各磁気記録ディスク内で磁気バイアスを誘導することにより、ハードディスク装置（ＨＤＤ）内に含まれる１個以上の磁気記録ディスクを消去することができる。図４Ａに示すように、特定の実施形態において、磁気バイアス装置４００は、軟磁性材料部材４１０、上部磁石４２０、および下部磁石４２２を含んでいる。上部磁石４２０は、図４Ａに示すように部材４１０の上側凹部４１４内に配置されていてもよい。同様に、下部磁石４２２は、図４Ａに示すように部材４１０の下側凹部４１６内に配置されていてもよい。部材４１０は、図４Ａに示すように直線および直角を用いて、または曲線（図示せず）を用いて構成されていてもよい。
【００１９】
図４Ａに示すように、部材４１０は上部磁石４２０と下部磁石４２２の間でエアギャップ４１２を露出させる開口を含んでいる。図４Ｂは、本発明の実施形態による磁気バイアス装置４００の側面図である。図４Ｂに示すように、ＨＤＤ４３０をエアギャップ４１２に挿入することができる。エアギャップ４１２の大きさは、ＨＤＤ４３０の少なくとも一部の挿入を収容するために設定することができる。一実施形態において、エアギャップ４１２の高さに対応する上部磁石４２０と下部磁石４２２の間の距離は３０ｍｍ以下である。上部磁石４２０と下部磁石４２２の間に挿入されるＨＤＤ４３０の部分は、ＨＤＤ内の磁気記録ディスクの内径（ＩＤ）から外径（ＯＤ）の部分に対応していてもよい。
【００２０】
図４Ａに示すように、軟磁性材料部材４１０は、上部磁石４２０の三側面および下部磁石４２２の三側面を囲んでいてもよい。また図４Ａに示すように、特定の実施形態において、下部磁石４２２と下側凹部４１６の間と同様に上部磁石４２０と上側凹部４１４の側面間にエアギャップがあってもよい。その理由は、上部磁石４２０および下部磁石４２２は単に磁気引力を介して部材４１０に取り付けられているため、上部磁石４２０および下部磁石４２２のいずれも三側面において部材４１０と同一平面にある必要が無いからである。また、上側凹部４１４および下側凹部４１６の幅を各々上部磁石４２０および下部磁石４２２の幅より僅かに長くすることで内部へ挿入し易くなる。
【００２１】
図４Ｃは、本発明の実施形態による非磁性材料を含む磁気バイアス装置の概略図である。図４Ｃに示すように、磁気バイアス装置４００は、任意選択的に非磁性材料部品４１７を含んでいてもよい。非磁性材料部品４１７を形成するために使用可能な材料の非限定的な説明例にアルミニウムが含まれる。非磁性材料部品４１７は、各種の異なる機能または役割を果たすことができる。例えば、一実施形態において、非磁性材料部品４１７は、ＨＤＤが所望の位置から外れて移動するのを防止することにより、磁気バイアス装置４００内でのＨＤＤの配置を支援することができる。他の実施形態において、非磁性材料部品４１７は、磁気バイアス装置４００の構造上の完全性を与える手助けとなり得る。
【００２２】
一実施形態において、軟磁性材料部材４１０は、ステンレス鋼等の強磁性材料を用いて実装されていてもよい。特定の一実施形態において、等級１０１８のステンレス鋼またはその同等品を用いてもよい。上部磁石４２０および下部磁石４２２は各々永久磁石、例えば等級Ｎ−５０のネオジウム鉄ホウ素磁石であってもよい。特定の一実施形態において、上部磁石４２０および下部磁石４２２は各々１０．８ｋＯｅの保磁力および１．０５μの比透磁率を有する。
【００２３】
本発明の実施形態において、上部磁石４２０および下部磁石４２２は、同一方向に流れる磁場を生成する。磁場フローの方向は、ＨＤＤ４３０の磁気記録ディスクの平面に垂直であってもよい。図４Ｂは、−ｚ方向（上部磁石４２０から下部磁石４２２に向かう方向）における磁場の向きを示す。しかし、上部磁石４２０および下部磁石４２２の両方の磁極は反転することができ、他の実施形態では磁場の方向は＋ｚ方向（下部磁石４２２から上部磁石４２０に向かう方向）を向いていてもよい。
【００２４】
図６は、本発明の一実施形態によるハードディスク装置（ＨＤＤ）のデータを消去する機能ステップを示すフロー図である。図６に示すように、最初にＨＤＤを磁気バイアス装置４００に挿入して、ＨＤＤの全ての磁気記録ディスク上のあらゆる磁気材料に対して磁気バイアスを誘導することにより、全てのデータを消去する。従来方式とは異なり、磁場フローの方向は磁気記録ディスクの平面に垂直である。磁気記録ディスク上の磁気材料が磁気バイアス装置４００の磁場に晒された後で、全ての磁気材料が単一方向に分極化されることにより、ディスクを消去すると共に全ての磁気材料が単一方向に分極化されるように誘導する。
【００２５】
ステップ６１０においてＨＤＤの一部だけを磁気バイアス装置に挿入すればよい。具体的には、ＨＤＤのモーターを装置４００内へ深く挿入し過ぎて高レベルの磁束に晒してはならない。例えば、ハードディスク装置のモーターにおいて上部磁石４２０および下部磁石４２２により生じる磁場の強さは１５００エルステッド（Ｏｅ）を超えてはならない。一方、磁気記録ディスク上の磁気材料において上部磁石４２０および下部磁石４２２により生じる磁場の強さは少なくとも６０００エルステッド（Ｏｅ）である。ＨＤＤ内のディスクは、ステップ６１０においてＨＤＤが磁気バイアス装置４００に挿入された際に、全動作速度または特定の速度で回転しているため、ディスク上の全ての磁気材料は上部磁石４２０および下部磁石４２２により生じる磁場に晒される。
【００２６】
ステップ６２０において、消去および分極化されたＨＤＤを磁気バイアス装置４００から取り外す。ＨＤＤのディスク上の全ての磁気材料を消去および分極化するために充分な時間が経過した後でステップ６２０を実行することができる。
【００２７】
装置４００は、磁気記録ディスクがビットパターン媒体（ＢＰＭ）として実装された実施形態において有用である。ＢＰＭ上で図６のステップを実行することにより、磁気記録ディスク上に配置されたほぼ全ての磁気島が同一方向に分極化される。例えば、装置４００により生じる磁場がＨＤＤ内を−Ｚ方向に流れる場合、磁気記録ディスク上の全ての磁気島は−Ｚ方向に分極化される。一方、装置４００により生じる磁場がＨＤＤ内を＋Ｚ方向に流れる場合、磁気記録ディスク上の全ての磁気島は＋Ｚ方向に分極化される。
【００２８】
図５は、本発明の実施形態による磁気バイアス装置により生じる磁場の概略図である。図５に示すように、実施形態によると、ＨＤＤのモーターが上部磁石および下部磁石と物理的に近接しているにもかかわらず、大量の磁束からモーターを遮蔽することが可能になる。これは、ＨＤＤのモーターの位置または近い位置において陰極を生じさせるべく作用する部材４１０が提供する遮蔽により可能になる。この遮蔽を用いる実施形態の結果、図１に示すようにＨＤＤのモーターは従来方式で起こり得る損傷を受けない。
【００２９】
上述の明細書において、本発明の実施形態を、実装の方式毎に異なる多くの具体的な詳細事項に関して記述した。従って、本発明の本質、および出願人が本発明であると意図する所を規定する唯一且つ排他的な指標は、本出願から所定の形式で提示する一連の請求項であり、その後の補正も全てこれらの請求項に含まれるものである。これらの請求項に含まれる用語について本明細書において明示的に記述した定義は全て、当該請求項において用いられる用語の意味を規定する。故に、請求項において明示的に記述されない限定、要素、特性、特徴、利点、または属性は、いかなる形であれこれらの請求項の範囲を一切限定するものではない。従って、明細書および図面について、限定的ではなく説明的な意味として理解されたい。
【符号の説明】
【００３０】
２  バルク消去装置
４  ＨＤＤ
６  磁石
８  磁石
１０  磁気回路
１２  磁気回路
１４  位置
１００  ＨＤＤ
１１０  ヘッドジンバルアセンブリ
１１０ａ  磁気記録ヘッド
１１０ｂ  スライダ
１１０ｃ  リードサスペンション
１１０ｄ  ロードビーム
１２０  磁気記録ディスク
１２４  スピンドル
１２８  ディスククランプ
１３２  アーム
１３４  キャリッジ
１３６  電機子
１４０  ボイスコイル
１４４  固定子
１４８  ピボット軸
１５２  ピボットベアリングアセンブリ
１５６  可撓ケーブル
１６０  ＡＥモジュール
１６４  電気コネクタブロック
１６８  ＨＤＤ筐体
１７２  方向
１７６  トラック
１８０  弧
１８４  セクター
１８８  トラック部
４００  磁気バイアス装置
４１０  軟磁性材料部材
４１２  エアギャップ
４１４  上側凹部
４１６  下側凹部
４１７  非磁性材料部品
４２０  上部磁石
４２２  下部磁石
４３０  ＨＤＤ
【図１】
2012099207.tif 000003
【図２】
2012099207.tif 000004
【図３】
2012099207.tif 000005
【図４Ａ】
2012099207.tif 000006
【図４Ｂ】
2012099207.tif 000007
【図４Ｃ】
2012099207.tif 000008
【図５】
2012099207.tif 000009
【図６】
2012099207.tif 000010